(57)【要約】受信機のローカルなシンボルクロックと送信機のシンボルクロックとの間にタイミング同期を確立するシステムが記載される。予め選択された数のオフセット値が所望のシンボルタイミング範囲について算出される。オフセット値は、中心オフセット値について実質的に対称的にグループ化される。予め選択されたオフセット値の各々をテストして、シンボルタイミング再生ロックを実現できるかを、中心オフセット値から開始して、当該値から徐々に遠ざかりながら調べる。最後に、２つのタイミング検出アルゴリズムを用いられ、当該２つのアルゴリズムを所望通りに切り換えて、ＳＴＲロックの可能性を最大化する。
2005523644.tif 000002
【特許請求の範囲】
【請求項１】
送信機のシンボルクロックと受信機のローカルなシンボルクロックとの間のタイミング同期を確立して、シンボルのシーケンスとしてシンボル周波数で送信され、シンボル周波数オフセットが生じやすい信号を受信する方法であって、
予め選択された数の、中心オフセット値について実質的に対称的にグループ化されたオフセット値を、所望のシンボルタイミング再生範囲について算出するステップと、
シンボルタイミング再生ロックが実現できるか調べるために、前記中心オフセット値から開始して、前記中心オフセット値から徐々に遠ざかりながら、前記予め選択されたオフセット値の各々をテストするステップと
を含むことを特徴とする方法。
【請求項２】
請求項１記載の方法であって、前記受信信号は、デジタル画像データを表す、シンボルの１次元のデータコンステレーションとしてフォーマットされた変調残留側波帯（ＶＳＢ）信号として送信される高品位テレビジョン（ＨＤＴＶ）信号を含むことを特徴とする方法。
【請求項３】
請求項１記載の方法であって、前記所望のシンボルタイミング再生範囲は±１ｋＨｚであることを特徴とする方法。
【請求項４】
請求項３記載の方法であって、前記オフセット値の予め選択された数は９であることを特徴とする方法。
【請求項５】
請求項４記載の方法であって、前記９つのオフセット値は、０Ｈｚ、±２００Ｈｚ、±４００Ｈｚ、±６００Ｈｚ、±８００Ｈｚであることを特徴とする方法。
【請求項６】
請求項１記載の方法であって、前記テストステップを複数のシンボルタイミング再生アルゴリズムの各々について繰り返すステップをさらに含むことを特徴とする方法。
【請求項７】
請求項６記載の方法であって、前記複数のシンボルタイミング再生アルゴリズムは、ミューラー・ミューラーアルゴリズム（Ｍｕｌｌｅｒ  ａｎｄ  Ｍｕｌｌｅｒ  ａｌｇｏｒｉｔｈｍ）とガードナーアルゴリズム（Ｇａｒｄｎｅｒ  ａｌｇｏｒｉｔｈｍ）とを含むことを特徴とする方法。
【請求項８】
送信機のシンボルクロックと受信機のローカルなシンボルクロックとの間のタイミング同期を確立して、シンボルのシーケンスとしてシンボル周波数で送信され、シンボル周波数オフセットが生じやすい信号を受信するプロセッサであって、
予め選択された数の、中心オフセット値について実質的に対称的にグループ化されたオフセット値を、所望のシンボルタイミング再生範囲について算出する手段と、
シンボルタイミング再生ロックが実現できるか調べるために、前記中心オフセット値から開始して、前記中心オフセット値から徐々に遠ざかりながら、前記予め選択されたオフセット値の各々をテストする手段と
を有することを特徴とするプロセッサ。
【請求項９】
請求項８記載のプロセッサであって、前記受信信号は、デジタル画像データを表す、シンボルの１次元のデータコンステレーションとして送信される高品位テレビジョン（ＨＤＴＶ）信号を含むことを特徴とするプロセッサ。
【請求項１０】
請求項８記載のプロセッサであって、前記所望のシンボルタイミング再生範囲は±１ＫＨｚであることを特徴とするプロセッサ。
【請求項１１】
請求項１０記載のプロセッサであって、前記オフセット値の予め選択された数は９であることを特徴とするプロセッサ。
【請求項１２】
請求項１１記載のプロセッサであって、前記９つのオフセット値は、０Ｈｚ、±２００Ｈｚ、±４００Ｈｚ、±６００Ｈｚ、±８００Ｈｚであることを特徴とするプロセッサ。
【請求項１３】
請求項１２記載のプロセッサであって、
前記テスト用に複数のシンボルタイミング検出アルゴリズムを用いる手段と、
ＳＴＲロックの可能性を最大化するために前記複数のアルゴリズムを所望通りに切り換える手段と
をさらに有することを特徴とするプロセッサ。
【請求項１４】
請求項１３記載のプロセッサであって、前記切り換え手段は、前記予め選択されたオフセット値のそれぞれをテストする前に、前記複数の検出アルゴリズムの１つを選択する手段を有することを特徴とするプロセッサ。
【請求項１５】
請求項１３記載のプロセッサであって、前記複数のタイミング検出アルゴリズムは、ミューラー・ミューラーアルゴリズムとガードナーアルゴリズムとを含むことを特徴とするプロセッサ。
【発明の詳細な説明】
【技術分野】
【０００１】
本発明は、テレビジョン受信機におけるシンボルタイミング再生方法及び装置に関する。本発明は、特に、高品位デジタルテレビジョン受信機において有用なシンボルタイミング再生方法及び装置に関する。
【背景技術】
【０００２】
地上波デジタルＴＶシステムは、信号を受信機に送信する際、様々な機能を実行し、様々な問題を克服しなければならない。例えば、アメリカ合衆国は、８値ＶＳＢ（８値残留側波帯）を用いるＡＴＳＣ（Ａｄｖａｎｃｅｄ  Ｔｅｌｅｖｉｓｏｎ  Ｓｙｓｔｅｍ  Ｃｏｍｍｉｔｔｅｅ）をデジタルテレビの変調標準として採用している。上記システムでは、テレビ番組のデータはシンボルのストリームとして送信され、各シンボルが３データビットに相当する。シンボルは公称周波数で生成される。
【０００３】
シンボルストリーム形式のデジタル情報を含む変調信号からデータを再生するには、通常、シンボル同期のためのタイミング再生、キャリア再生（ベースバンドへの周波数変換）及びチャネル等化の３つの機能が受信機に求められる。本発明は、特に、より広範囲のシンボルタイミング再生（ＳＴＲ）のオフセット周波数に渡って、ＳＴＲをより確実かつ高速に行う方法及び装置に関する。
【０００４】
シンボルタイミング再生は、受信機のシンボルクロック（タイムベース）を送信機のシンボルクロックに同期させる処理である。シンボルタイミング再生により、受信信号をちょうど最適点でサンプルして、受信シンボル値の決定指向処理に関連するスライシングエラーを減少させることができる。従って、本発明の重要な目的の一つは、シンボル同期を得るためのタイミング再生ループを提供することである。受信機のシンボルサンプリング周波数を送信器のシンボル周波数に固定するには、シンボル周波数を取得、予測、追跡して、サンプルが正しいレートと位置で採取できるようにしなければならない。例えば、システムのシンボルレートを２０メガヘルツ（ＭＨｚ）と特定できても、送信機と受信機それぞれの発信器の周波数に時間と共にずれが生じて、実際のシンボル周波数が特定のシンボル周波数とは異なってしまうことがある。以下、本明細書において、受信信号の実際のシンボル周波数と特定のシンボル周波数との差異を「オフセット」と呼ぶ。
【０００５】
公知のシンボルタイミング再生回路によれば、受信機の位相ロックループ（ＰＬＬ）は、受信信号に同期したシンボルクロックを生成する。ＰＬＬは、電圧制御発信器の周波数を制御するループインテグレータを含む。受信信号と電圧制御発振器の出力信号とのそれぞれの位相を比較する位相比較器は、ループインテグレータに制御信号を供給する。これらは全て公知の方法で行われる。新たな信号の受信時には、ループインテグレータの出力を、電圧制御発信器の周波数が新たな信号のシンボルレートにマッチするように調整しなければならないが、この処理は同期捕捉（ａｃｑｕｉｓｉｔｉｏｎ）と呼ばれる。
【０００６】
ＰＬＬは、それぞれが固有の送信機側クロックを有する種々の送信機から信号を受信するために、シンボル周波数の値の範囲を固定できなければならない。上述したように、受信信号のシンボル周波数は、特定のシンボル周波数からオフセットすることがしばしばある。同様に、オフセットという語は、ループ発信器を調整して受信信号中のシンボルに固定された信号を生成させるループインテグレータ信号の値と、ループ発信器を調整して特定の周波数のシンボルに固定された信号を生成させるループインテグレータ信号の値との差異を示す。
【発明の開示】
【発明が解決しようとする課題】
【０００７】
受信機での適当なシンボルタイミング再生の実現に関連する問題はいくつかある。例えば、シンボルタイミング再生（ＳＴＲ）・ループインテグレータの起点（例えば、先の信号についてのループインテグレータ出力信号）が、新たな信号について最終的に固定された値と乖離している場合、シンボルタイミング再生回路がチャネルに「ロック」するまでに長時間を要することがあり得る。確実な同期捕捉を保証するために、ＳＴＲループの帯域幅が狭くされている場合には、上記の問題はより深刻となる。実際に、ＳＴＲ開始時のオフセットが固定値からあまりにも離れている場合には、ＳＴＲのループロックを確実に行えないことがある。また、中程度から強度のゴーストが発生している状況下では、開始時のオフセットが最終的なオフセットに近接していると、シンボルタイミングのロックがより確実に達成される。
【課題を解決するための手段】
【０００８】
本発明は、送信機のシンボルクロックと受信機のシンボルクロックとの間にタイミング同期を確立して、シンボルのシーケンスとしてフォーマットされ、シンボルタイミングオフセットを生じやすい信号をシンボル周波数で受信する方法に関する。上記方法は、予め選択された数のオフセット値を所望のシンボルタイミング再生（ＳＴＲ）範囲について算出するステップを含む。オフセット値は、中心オフセット値について実質的に対称的にグループ化されている。予め選択されたオフセット値の各々はテストされ、シンボルタイミング再生ロックが実現できるかを、中心オフセット値から開始して、当該値から徐々に遠ざかりながら調べる。最後に、ＳＴＲロックの可能性を最大化するために、２つのタイミング検出アルゴリズムが用いられる。
【０００９】
本発明の原理を組み込んだ別の実施形態によれば、送信機のシンボルクロックと受信機のシンボルクロックとの間にタイミング同期を確立して、シンボルのシーケンスを含み、シンボル周波数オフセットを生じやすい信号をシンボル周波数で受信するプロセッサが提供される。本実施形態は、予め選択された数のオフセット値を所望のシンボルタイミング再生（ＳＴＲ）範囲について算出する手段を有し、上記オフセット値は、中心オフセット値について実質的に対称的にグループ化されている。シンボルタイミング再生ロックが実現できるか調べるために、前記中心オフセット値から開始して、上記中心オフセット値から徐々に遠ざかりながら、前記予め選択されたオフセット値の各々をテストする手段が提供される。また、上記テスト用の２つの検出アルゴリズムを用いる手段と、ＳＴＲロックの可能性を最大化するために上記２つのアルゴリズムを切り換える手段も含まれる。
【発明を実施するための最良の形態】
【００１０】
図面を参照するに、図１は、本発明の原理を取り入れたＶＳＢ受信機のブロック図である。地上放送波の高品位テレビ（ＨＤＴＶ）のアナログ入力信号（ＩＮ）は、アンテナ（図示せず）で受信される。受信信号は、アメリカ合衆国で採用された、ＡＴＳＣによる１９９５年９月１６日付けのテレビ用デジタル標準で提案されているような、搬送波抑圧８値ＶＳＢ変調信号であり、上記標準の内容がここに組み込まれる。このようなＶＳＢ信号は、一次元のデータシンボルコンステレーションで表され、一つの軸方向でのみ受信機で再生される量子化データを含む。上述したように、受信信号は８値ＶＳＢフォーマットのデータシンボルのストリームであって、各シンボルがデジタルテレビ信号の３データビットを示す。このようなシンボルを示す信号は、シンボル周波数で発生するが、当該シンボル周波数は公称のシンボル周波数とは異なることがある。
【００１１】
受信信号は、ＲＦ同調回路とＩＦプロセッサを含むネットワーク２０の入力端子１０に印加される。ＩＦプロセッサは、ＩＦパスバンド出力信号を生成するダブル変換チューナを含む。ネットワーク２０は、適当な自動利得制御（ＡＧＣ）回路も含む。ネットワーク２０の出力信号は、ＩＦパスバンド出力信号である。この信号は、オーバーサンプルされたデジタルデータストリームを生成するＡＤ変換器（ＡＤＣ）３０に印加される。ＡＤＣ３０は、入力される１０．７６メガシンボル／秒のＶＳＢシンボルデータストリームを、受信シンボルレートの２倍である２１．５２ＭＨｚのサンプリングクロックレートでオーバーサンプルする。これにより、シンボル当たり２つのサンプルを含む、オーバーサンプルされた２１．５２メガサンプル／秒のデジタルデータストリームが生成される。１サンプル／シンボルで処理するのではなく、２サンプル／シンボルで処理することで、後続のＤＣ補償ユニット５０やシンボル位相検出部等に関する機能等、その後の信号処理機能を有利に動作させることができるが、これらについては以下でより詳細に説明する。
【００１２】
図１に示すその他の回路は、アナログドメインではなくデジタルドメインで実行される。このような回路は、専用ハードウェア回路として実行しても良い。しかし、上記回路を、公知の方法により、必要な処理機能を提供するソフトウェアプログラムを実行するように構成されたデジタル信号プロセッサとして実行しても良い。
【００１３】
ＡＤＣ３０からのデジタルデータストリームは、全デジタル型復調器とキャリア再生のネットワークである、ネットワーク４０に印加されてベースバンドに変換される。ネットワーク４０は、受信ＶＳＢデータストリーム中の基準パイロットキャリア成分に対応する全デジタル型位相ロックループ（ＰＬＬ）を利用して上記機能を実行する。ユニット４０は、Ｉ−ｐｈａｓｅ（同相）復調シンボルデータストリームを生成する。
【００１４】
セグメント同期化及びシンボルクロック再生ネットワーク６０は、ＡＤＣネットワーク３０と復調器４０とに関連付けられている。シンボルクロック再生機能は、入力信号中のシンボルの時間位置を検出する動作を行う。サンプルクロックが受信シンボルストリームに同期して生成される。上述したように、サンプルクロックはシンボル周波数の２倍の周波数で生成され、かつ、受信シンボルに同期しており、２サンプル／シンボルとなっている。上記サンプルクロックはＡＤＣ３０に接続される。
【００１５】
新たなチャネルに合わせる際には、シンボル同期を獲得しなければならない。この処理については以下でより詳細に説明する。獲得後は、シンボル同期を維持又は追跡しなければならない。ＨＤＴＶ信号は連続するフレームとして送信されるが、各フレームは２つのフィールドを含み、各フィールドは３１３セグメントを含み、各セグメントは８３２シンボルを含んでいる。各フィールドはフィールド同期セグメントで始まり、フィールド同期セグメントを含む各セグメントは４シンボル同期シーケンスで始まるが、これらは全て同一の固定値を有している。ネットワーク６０は、受信データ中の各セグメントの先頭部にある反復同期成分を検出する。セグメント同期信号は、他の処理ブロックに供給される（図面の簡素化のため図示せず）。セグメント同期信号の時間位置も検出され、ＡＤＣ３０でサンプルしているデータストリームシンボルの制御に用いられる、適当に位相化された２１．５２ＭＨｚのサンプルクロックの維持に用いられる。
【００１６】
回路６０が、受信機側のクロックが送信機のクロックに同期するようにチャネルをロックすると、ＶＳＢ受信機は適当なチャネルに合わせられ、適当に機能することができる。デジタル復調器及びキャリア再生回路４０の出力は、ＤＣ補償回路５０に印加される。ＤＣ補償回路５０は、上述したパイロットトーンの存在を補償する。ＤＣ補償回路５０の出力は、フィールド同期検出器７０とＮＴＳＣコチャネル干渉拒絶回路８０に印加される。回路８０の出力は、チャネルの歪みを補正する適応チャネル等化器９０に印加される。
【００１７】
しかし、位相ノイズはシンボルコンステレーションをランダムに回転させて、等化器９０の出力が位相トラッキングループ１００に印加されるようにすることができる。位相トラッキングループ１００は、等化器９０からの出力信号中の残留位相を除去し、ノイズを増幅する。これには、パイロット信号に応じて、先行するキャリア再生ネットワーク４０で除去されなかった位相ノイズも含まれる。
【００１８】
位相トラッキングループ１００から出力される位相補正された信号は、ユニット１１０でトレリス復号化され、ユニット１２０でデインタリーブされ、ユニット１３０でリードソロモンエラー訂正され、ユニット１４０でデスクランブル又はデランダマイズされる。その後、復号データストリームは、ユニット１５０によりオーディオ、ビデオ、ディスプレイ処理される。
【００１９】
チューナ及びＩＦプロセッサユニット２０、フィールド同期検出器７０、等化器９０、位相トラッキングループ１００、トレリス復号器１１０、デインタリーバ１２０、リードソロモン復号器１３０、デスクランブラ１４０は、１９９４年４月１４日付けの「Ｇｒａｎｄ  Ａｌｌｉａｎｃｅ  ＨＤＴＶ  Ｓｙｓｔｅｍ  ｓｐｅｃｉｆｉｃａｔｉｏｎ」に記載された回路を用いていも良い。ＡＤ変換器３０、デジタル復調及びキャリア再生４０、ＤＣ補償５０の機能を実行する回路も周知である。
【００２０】
当業者には、上記の説明から、セグメント同期信号がシンボルのタイミングの追跡に用いられることが分かる。セグメント信号は、所定の固定値を持つ４シンボルのシーケンスであるので、セグメント同期信号を検出するには、ＡＤＣ３０に供給されるサンプルクロックが受信信号のシンボルタイミングと既に同期していなければならない。これは新たな信号の受信時には該当しない。従って、シンボルタイミングの獲得は、シンボルタイミングの追跡に用いられる方法とは異なる方法で行われなければならない。つまり、新たなチャネルに合わせる際、新たな受信信号のシンボルタイミングを検出しなければならず、ＡＤＣ３０に供給されるサンプルクロックは、新たな受信信号中のサンプルを獲得するのに適した位相でなければならない。
【００２１】
シンボル同期を必要とせず、サンプルクロックに関連してシンボルストリーム中のシンボルの位相を検出する２つのアルゴリズムが知られている。ミューラー・ミューラーアルゴリズム（Ｍｕｌｌｅｒ  ａｎｄ  Ｍｕｌｌｅｒ  ａｌｇｏｒｉｔｈｍ）とガードナーアルゴリズム（Ｇａｒｄｎｅｒ  ａｌｇｏｒｉｔｈｍ）を用いて本発明の同期捕捉処理を実行しても良い。上記のアルゴリズムは双方共に周知である。ミューラー・ミューラーアルゴリズムは、１９７６年５月の「ＩＥＥＥ  Ｔｒａｎｓａｃｔｉｏｎｓ  ｏｎ  Ｃｏｍｍｕｎｉｃａｔｉｏｎｓ」の５１６〜５３１ページに記載されており、ここにその内容が組み込まれる。ガードナーアルゴリズムは、１９８６年５月の「ＩＥＥＥ  Ｔｒａｎｓａｃｔｉｏｎｓ  ｏｎ  Ｃｏｍｍｕｎｉｃａｔｉｏｎｓ  Ｖｏｌ．  Ｃｏｍ−３４，ｎｏ．５」の４２３〜４２８ページに記載されており、その内容もここに組み込まれる。
【００２２】
ミューラー・ミューラーアルゴリズムは、１サンプル／シンボルに基づいているが、決定指向である。ガードナーアルゴリズムは決定指向ではないが、一般に２サンプル／シンボルを必要とし、そのうち１つのサンプルがシンボル時間位置と一致する。ミューラー・ミューラーアルゴリズムとガードナーアルゴリズムは、それぞれ様々な長所と短所を備え、一方が常に他方よりも優れて機能するという訳ではない。アルゴリズムを１つだけ用いる場合は、シンボルタイミング再生（ＳＴＲ）が潜在的に対処できなければならないあらゆる場合に必ずしも作用するとは限らない。回路６０のＳＴＲタイミング検出器の同期捕捉アルゴリズムは、検出器が２つの異なるシンボルタイミングアルゴリズムをスイッチして、以下により詳細に説明する方法でＳＴＲロックの可能性を最大化するように構成されている。
【００２３】
上述したように、実際のシンボル周波数は、許容可能なシンボル周波数範囲を超えて、公称シンボル周波数から外れることがあり得る。さらに、先行信号のシンボル周波数が上記範囲の一端側にオフセットする一方で、新たな受信信号のシンボル周波数が当該範囲の他端側にオフセットすることがあり得る。上述したように、この場合、新たなシンボル周波数の同期捕捉には長時間かかることがあり、最悪の場合、シンボルクロック再生回路６０で新信号のシンボル周波数の同期捕捉を行えないことがある。
【００２４】
本発明の原理によれば、フェーズ回路６０のＳＴＲシンボル周波数オフセットは、同期捕捉フェーズの間に、ＳＴＲがトラバースし得るオフセットの範囲から選択される異なる値に設定される。本発明の好適な実施形態においては、ＳＴＲオフセット範囲は、±１ｋＨｚに指定される。上記範囲は、公称シンボル周波数からのオフセット０、±２００Ｈｚ、±４００Ｈｚ、±６００Ｈｚ、±８００Ｈｚに対応する９つのポイントに分割される。また、本発明の原理によれば、受信機側のシンボルクロックと送信機側のシンボルクロックとの間でタイミング同期を速やかかつ確実に確立するために、本発明は上述した２つのタイミング検出アルゴリズムを利用する。
【００２５】
図２は、本発明の原理による同期捕捉方法を説明するフローチャートである。図２に示す検索アルゴリズムは、ブロック６０２で開始される。ブロック６０４で、上述の２つのタイミングアルゴリズムの１つが選択される。ブロック６０６で、選択されたタイミングアルゴリズムに対して、上述の事前計算した９つのオフセットの１つを用いて、ＡＤＣ３０用のサンプルクロック信号を生成する。ブロック６０８で、その事前計算したオフセットから始めて、新たな受信信号へのロックが試みられる。ブロック６１０でチェックを行い、ロックが成功したかどうか判断される。成功した場合、同期捕捉処理をブロック６１２で終了する。そうでなければ、ブロック６１４でチェックが行われて、事前計算した他のオフセット値がまだ残っているか判断する。残っている場合、事前計算した次のオフセット値がブロック６０６で選択され、ブロック６０８でロックへの試みが再度なされる。事前計算したオフセット値全てが用いられると、ブロック６１６でチェックが行われて、タイミングアルゴリズムが両方用いられたか判断される。そうでない場合、他方のタイミングアルゴリズムがブロック６０４で選択され、事前計算したオフセット値の全てを当該アルゴリズムについて用いる。両方のタイミングアルゴリズムが、事前計算したオフセット値の全て用いられ、ロックが得られなかった場合、失敗した旨がブロック６１８で示される。あるいは、図２に示す同期捕捉方法を無制限に繰り返しても良い。
【００２６】
上述したように、シンボルクロック再生回路６０を、図２で説明した機能を実行する専用ハードウェアとして実施しても良い。あるいは、シンボルクロック再生回路６０は、図２示す方法を実行するように当該プロセッサを制約するプログラムの制御下で動作する、プログラム可能なデジタル信号プロセッサ又はマイクロプロセッサを含んでも良い。また、シンボルタイミング再生回路６０は、プログラム可能なプロセッサと、ＤＳＰの制御下で選択された機能を実行するように公知の方法によって構成された専用ハードウェアとの組み合わせを含んでも良い。
【００２７】
標準的な条件下では、公称シンボル周波数と受信信号の実際のシンボル周波数との間のオフセットはゼロに近い。換言すれば、シンボルクロック再生回路６０がロックを達成できるシンボル周波数範囲の中心に近い。しかし、受信信号の実際のシンボル周波数が、送信機側及び／又は受信機側の基準クロックエラーのために、特定のロック範囲の極限に寄っていることがある。従って、同期捕捉方法は、上記の例において中心又は０ｋＨｚのオフセットを選択してブロック６０６で開始され、徐々に外側、つまり、±２００Ｈｚ、±４００Ｈｚ、±６００Ｈｚ、±８００Ｈｚと、ロック範囲の極限に向かって移動する。このアルゴリズム構成により、より信頼できる速やかなＳＴＲ同期捕捉を、より広いＳＴＲのオフセット周波数範囲に渡って、中程度から強度のゴーストが発生している状況でも行うことができる。
【００２８】
セグメント同期及びシンボルクロック再生回路６０では、上述したように、キャリア周波数オフセットを事前に計算して、ＳＴＲがトラバースし得る予想範囲全体をカバーするようにしても良い。これにより、より信頼できる同期捕捉が保証される。回路６０のＳＴＲは、検索されたオフセット値で始めるときにはトラバースする距離が少なくなるので、同期捕捉の実現に要する時間が短縮され、かつ、同期捕捉の信頼性が高められる。
【００２９】
本発明の原理によれば、予め選択された数のオフセット値を所望のシンボル同期捕捉範囲について算出する上記構成だけでなく、ミューラー・ミューラーアルゴリズムとガードナーアルゴリズムの組み合わせの利用も、受信機側のクロックの送信機側のクロックへの速やかかつ正確な「ロッキング」を確保する。上述したように、ＳＴＲインテグレータは、検索されたオフセット値で始める場合にはトラバースする距離が短くなるので、より信頼できる同期捕捉が実現される。
【００３０】
本発明の特定の方法や特定の例に関して説明したが、特許請求の範囲によって定義される本発明の範囲を逸脱することなく、本発明の原理が他の方法や構成で実施できることは明らかである。例えば、ガードナー及び／又はミューラー・ミューラーのシンボルタイミングアルゴリズムを、ＨＤＴＶ送信システム用の特定のＶＳＢ信号のより正確な同期捕捉のために修正しても良い。あるいは、上述した２つのアルゴリズムに加えて、他のシンボルタイミングアルゴリズムを、図２に示した方法に含めても良い。また、シンボル周波数の範囲は上記実施形態の１ｋＨｚより広くても良く、当該範囲を実施形態における９ポイントを超える数のポイントに分割しても良い。さらに、当業者は、変調方法は本発明に密接には関係していないことを理解するであろう。つまり、本発明は、直交振幅変調（ＱＡＭ）や四位相偏移（ＱＰＳＫ）変調等、他のデジタル変調方式と共に用いても良い。
【図面の簡単な説明】
【００３１】
【図１】本発明の原理を取り入れたＶＳＢ受信機のブロック図である。
【図２】本発明の原理による同期捕捉方法を説明するフローチャートである。
【図１】
2005523644.tif 000003
【図２】
2005523644.tif 000004
【国際調査報告】
2005523644.tif 000005
2005523644.tif 000006